(57)【要約】      （修正有）【課題】人体の足の甲又は足の指や指の股に対して按摩することができる足の甲のマッサージ装置を提供する。【解決手段】足の甲のマッサージ装置であって、運動モジュールと按摩ローラ１０とを備える。運動モジュールは、モータに連接される主動回転盤１を備える。主動回転盤１には、偏心的に偏心軸２が設けられている。リンク３の一端が前記偏心軸２に設けられ、リンク３の他端がロッカー４に連結されている。ロッカー４に支持軸５が設けられている。ロッカー４の他端に上ロッカー７の一端が連結されている。ロッカー４と上ロッカー７の間に連結軸８が設置されており、連結軸８にねじりバネ９が設置されている。ねじりバネ９の両端が固定ピンによりロッカー４と上ロッカー７のアームにそれぞれ配置されている。上ロッカー７の他端に按摩ローラ１０が配置されている。【選択図】図１
0003158193.tif 000002
【実用新案登録請求の範囲】
【請求項１】
運動モジュールと按摩ローラとを備え、前記運動モジュールがモータに連接される主動回転盤を備え、前記主動回転盤に偏心的に偏心軸が設けられており、前記偏心軸にリンクが設けられている足の甲のマッサージ装置において、
前記リンクの他端がロッカーに連結されており、前記ロッカーに支持点が設けられ、前記ロッカーの他端に上ロッカーが連結されており、前記ロッカーと上ロッカーの間に連結軸が配置されており、前記連結軸にねじりバネが配置されており、前記ねじりバネの両端がロッカーと上ロッカーのアームにそれぞれ配置されており、前記上ロッカーの他端に按摩ローラが連結されていることを特徴とする、足の甲のマッサージ装置。
【請求項２】
前記ねじりバネの両端が固定ピンによりロッカーと上ロッカーに連結されていることを特徴とする、請求項１に記載の足の甲のマッサージ装置。
【請求項３】
前記ロッカーに交差する箇所に足支持板が設けられていることを特徴とする、請求項１に記載の足の甲のマッサージ装置。
【請求項４】
前記按摩ローラの縦断面の形状が、人体の足の甲または足の指の曲線に合致する曲面であることを特徴とする、請求項１に記載の足の甲のマッサージ装置。
【請求項５】
前記按摩ローラは柔軟性材料を採用していることを特徴とする、請求項１に記載の足の甲のマッサージ装置。
【請求項６】
前記按摩ローラの表面には突起、加熱装置、薬パッド、または磁性材料が設けられていることを特徴とする、請求項１に記載の足の甲のマッサージ装置。
【考案の詳細な説明】
【技術分野】
【０００１】
本考案は、人体健康装置に関し、特に人体の足部健康装置に関する。
【背景技術】
【０００２】
伝統中国医学において、人の老衰は足部から始まると考えられている。なぜなら、足裏は人体の第二の心臓であり、人体の各器官の反射域が集中しており、つまり、足裏が人体の各器官の集中点とみなされているからである。特定の反射域の筋脈に按摩し、刺激を与えることにより、反射域の筋脈の機能を復元することができる。漢方医学の経絡学において、足部は、三陽経と足の三陽経が通過している箇所であり、足裏と足の指がそれらの端末であり、かつ、集まって接続する箇所で裏表を構成し、人体全体の各部を貫いて、お互いにとけあっていると考えられている。また、西洋医学解剖学において、足部に血管が非常に多いと考えられている。通常、温水で足を洗った上で適当に按摩することにより、血液循環がよくなり、病を除去し、健康な体になることが実感されている。
【０００３】
生活レベルのアップに伴って、健康意識が強くなってきて、足部に対する健康にも重視されるようになってきたため、足部按摩は日常生活に溶けこんでいる。現在、フットバスというサービスも流行している。主に人の手によって行われる按摩は、疲労の除き、健康向上に役立っているが、公共の場所で行われるので、衛生条件を制御にくく、各種の皮膚病などを招くおそれがある。そのため、各種の皮膚病に感染せずに足部を按摩できるように、家での使用に適合する各種の足部マッサージ装置が次から次へと登場している。また、いま、例えば足の上面、足の指及び指の股のような人体の足の甲に対しては、人の手による按摩しかできないが、健康の面からいうと、人体の足部の端末に対する按摩が、非常に重要であり病の防止や除去についても重要な役割を有する。したがって、足マッサージ健康分野において、人体の足の甲乃至足の指や指の股に対する健康機器は、非常に重要なものである。
【考案の概要】
【０００４】
従来技術の問題点を解消するために、本考案は、人体の足の甲乃至足の指や指の股に対して按摩することができる足の甲のマッサージ装置を提供する。本考案は、按摩過程において、まず、按摩ヘッドが足の甲に下向きの力を付加して点接触で足の甲に圧接して、そして、按摩ヘッドが足の甲に斜め下向きのスラスト力を付加して、足の甲に対する按摩動作が自動的に完成されている。これにより、足の甲のツボを有効的に刺激し、足の甲乃至足の指の端末、経絡末梢の血液循環を促進し、足部健康という作用を奏することができる。
【０００５】
上述の技術的課題を解決するために、本考案は以下の技術的解決手段を実現した。足の甲のマッサージ装置であって、運動モジュールと按摩ローラとを備え、前記運動モジュールは、モータに連接される主動回転盤を備え、前記主動回転盤に偏心的に偏心軸が設けられており、前記偏心軸にリンクが設けられ、前記リンクの他端がロッカーに連結されており、前記ロッカーに支持軸が設けられ、前記ロッカーの他端に上ロッカーが連結されており、前記ロッカーと上ロッカーの間に連結軸が配置されており、前記連結軸にねじりバネが配置されており、前記ねじりバネの両端がロッカーと上ロッカーのアームにそれぞれ配置されており、前記上ロッカーの他端に按摩ローラが連結されている。
【０００６】
本考案の足の甲のマッサージ装置において、前記ねじりバネの両端が固定ピンによりロッカーと上ロッカーに連結されている。前記ロッカーに交差する箇所に足支持板が設けられている。前記按摩ローラは柔軟性材料を採用している。前記按摩ローラの縦断面の形状は、人体の足の甲の曲線または足の指の曲線に合致した曲面である。前記按摩ローラの表面には突起、加熱装置、薬パッド、または磁性材料が設けられている。
【０００７】
従来技術に比べると、本考案は以下の有益な効果を奏する。つまり、本考案の足の甲のマッサージ装置は、構造設計が合理的である。なぜなら、クランク・リンク・ダブルロッカー機構により按摩ローラを動かせて、按摩ローラがまず足の甲に接触して押圧力を付加しており、二つのロッカーの間にねじりバネが配置されているため、上ロッカーがスラスト移動すると、按摩ローラは足の甲に対して傾斜角度が小さく、下向きの按摩動作を生む。足の甲に対する按摩ローラの圧接が、点圧接からスラスト圧接に移行することにより、人の手で行った按摩動作をそっくり模倣でき、按摩過程がより快適で、人間の行う動作に近くなる。
【０００８】
また、本考案は按摩ローラの縦断面の形状は、人体の足の甲の曲線や足の指の曲線に合致する曲面に設計されてもよい。按摩ローラの表面に、突起構造、加熱保温装置、カバー薬パッド、または磁性点を選択的に設置してもよい。これにより、按摩と同時に、熱、力、磁力または薬という何重もの物理療法の役割を奏することができて、足部の毛細血管の拡張を促進し、血流をよくし、足部の反射域のツボを刺激して病の防止、除去、健康向上という効果を得ることができる。
【図面の簡単な説明】
【０００９】
【図１】本考案の足の甲のマッサージ装置の構成の正面図である。
【図２】本考案の足の甲のマッサージ装置の構成の平面図である。
【考案を実施するための形態】
【００１０】
以下、本考案について、図面と具体的実施形態を結び付けてより詳しく説明する。
【００１１】
図１に示すように、本考案の足の甲のマッサージ装置は、運動モジュールと按摩ローラ１０とを備え、前記運動モジュールは、モータに連接される主動回転盤１を備え、前記主動回転盤１に偏心的に偏心軸２が設けられており、前記偏心軸２にリンク３が設けられ、前記リンク３の他端が回転軸６を介してロッカー４に連結されており、前記ロッカー４に支持軸５が設けられ、前記ロッカー４の他端に上ロッカー７が連結されており、前記ロッカー４と上ロッカー７の間に連結軸８を配置することにより両方を連結する。前記連結軸８にねじりバネ９が配置されており、前記ねじりバネ９の両端がロッカー４と上ロッカー７のアームにそれぞれ配置されており、前記上ロッカー７の他端に短軸１２を介して按摩ローラ１０が連結されている。
【００１２】
本考案の足の甲のマッサージ装置において、前記ねじりバネ９の両端が固定ピン１３によりロッカー４と上ロッカー７に連結されている。前記ロッカー４に交差する箇所に足支持板１１が設けられている。前記足支持板１１の位置は基本的には水平であるが、使用時の便宜のために、小さい傾斜角度を有してもよい。前記按摩ローラ１０は柔軟性材料を採用している。前記按摩ローラ１０の縦断面の形状は、人体に接触する時により快適で、不快な刺激を避けるように、人体の足の甲の曲線または足の指の曲線に合致した曲面である方が好ましい。また、前記按摩ローラ１０の表面には、突起、加熱装置、薬パッド層、または磁性材料を設けることが好ましい。
【００１３】
本考案の足の甲のマッサージ装置の作動過程は以下のとおりである。まず、人体の足部が足支持板１１を踏んでから、モータを起動し、主動回転盤１によりそれに設けられた偏心軸２を動かせて、偏心軸２によりリンク３を動かせて、リンク３によりロッカー４を支持軸５の回りに揺動させるように駆動する。ロッカー４がリンク３の駆動により上ロッカー７を介して按摩ローラ１０を動かせて、図１の実線と二点鎖線に示すように二つの運動限度位置を形成する。ロッカー４と上ロッカー７の間にある連結軸８にねじりバネ９がセットされている。図２に示すように、このねじりバネ９は、ロッカー４と上ロッカー７に設けられた固定ピン１３により位置制限という役割を働いている。これにより、按摩ローラ１０が点接触で足の甲に圧接してから前方に移動する際、按摩ローラ１０が前方に移動しつつ、足の甲に対して下向きの、角度の小さい傾斜力を生じている。そのため、按摩ローラ１０が足の甲に接触してから最前端の限界位置まで移動する全過程が、人の手で行う按摩動作の全過程そっくりに模倣できるようにする。また、按摩ローラ１０が最前端の限界位置から戻って移動すると、ねじりバネ９の変形に抗する回復力により、上ロッカー７は、最後端の限界位置まで移動しつつ足の甲からわずか離れるように按摩ローラ１０を動かす。ここまでで、１サイクルが完了する。以下はこの順に繰り返して足の甲に対する按摩の全過程を所定タイミングで完了する。上述の按摩過程において、按摩ローラ１０の足の甲に対する按摩は、一定の弾性力を持っており、按摩過程が非常に快適で、人間の動作に近くになる。按摩によって足の甲または足の指のツボを有効的に刺激でき、かつ、足の末端部位や経絡末梢の血液循環を促進し、足部を健全にする作用を果たす。
【００１４】
また、年齢や性別や身体状況によって、足の甲の按摩力に対する忍耐度および感じられる快適度が異なることから、この違いに適合するために、本考案の足の甲のマッサージ装置は、調節ハンドルなどのような強度調節装置を配置することで、適当な圧力で足の甲を按摩するように、按摩ローラ１０を自由に制御することができるようにしてもよい。
【００１５】
以上、図面を参照して本考案の好ましい実施例を説明したが、本考案は、上述の実施形態に限定されるものではなく、上述の実施形態は、本考案の模式的な説明にすぎなく、制限性がない。当業者であれば、本考案の示唆で本考案の要旨と請求の範囲を超えない範囲においてさらに多くの形式で実現することが可能であるが、作り出された様々な様態が本考案にカバーされていることをいうまでもない。
【符号の説明】
【００１６】
１  主動回転盤
２  偏心軸
３  リンク
４  ロッカー
５  支持軸
６  回転軸
７  上ロッカー
８  連結軸
９  ねじりバネ
１０  按摩ローラ
１１  足支持板
１２  短軸
１３  固定ピン
【図１】
0003158193.tif 000003
【図２】
0003158193.tif 000004